(57)【特許請求の範囲】
【請求項１】
断面円状の門柱にヒンジ部材を取付け、ヒンジ部材を、門柱に対して周方向に位置調整自在に被嵌されると共に固定手段で門柱に固定される環状部と、該環状部の周方向の一部から縦方向に突設したヒンジピンとで構成して成るヒンジ付き門柱を用いた門扉の施工方法であって、２枚の門扉のうち一方の門扉の横長さと等しい長さの第１のひも部と他方の門扉の横長さと等しい長さの第２のひも部とを引き操作部を介して連続させ、第１のひも部及び第２のひも部の引き操作部と反対側の端部にそれぞれヒンジピンへの着脱取付け部を設けて門扉施工用具を形成し、上記ヒンジ付き門柱を一対任意の間隔を隔てて立設し、各門柱に対してヒンジ部材の環状部を回動自在とした状態で上記門扉施工用具の第１のひも部及び第２のひも部の着脱取付け部を一対の門柱のヒンジ部材の各ヒンジピンに取付け、その後、引き操作部を水平方向に引っ張って第１のひも部と第２のひも部とが引き操作部を頂点としたへ字状となるようにすると共に、引き操作部と各門柱の中心とを結ぶ線上に各ヒンジ部材の各ヒンジピンを位置させ、次に、各環状部を固定手段で門柱に固定し、その後、一方の門柱のヒンジピンに一方の門扉を回動自在に取付けると共に他方の門柱のヒンジピンに他方の門扉を回動自在に取付けることを特徴とするヒンジ付き門柱を用いた門扉の施工方法。
【請求項２】
引き操作部を水平方向に引っ張って第１のひも部と第２のひも部とが引き操作部を頂点としたへ字状となるようにした状態で平面視で引き操作部に一致する地面上の位置を求め、このようにして求めた地面上に特定された位置にいずれかの門扉に上下移動自在に取付けるフランス落とし棒が嵌め込み自在となる嵌め込み孔を形成することを特徴とする請求項１記載のヒンジ付き門柱を用いた門扉の施工方法。
【請求項３】
門柱に取付けた下のヒンジ部材のヒンジピンが上向きに突出し且つ上のヒンジ部材のヒンジピンが下向き突出し、門扉の端部の上下にひじ壺を上下移動可能に取付け、上下に対向したヒンジピンに上下のひじ壺を嵌め込むことを特徴とする請求項１記載のヒンジ付き門柱を用いた門扉の施工方法。
【発明の詳細な説明】
【０００１】
【発明の属する技術分野】
本発明は、ヒンジ付き門柱を用いた門扉の施工方法に関するものである。
【０００２】
【従来の技術】
従来から、例えば、断面四角形状をした門柱１’にヒンジピン５’を有するヒンジ部材２’を溶接などにより固定したヒンジ部材２’付き門扉１４’が知られている。
【０００３】
ところが、左右両側の門柱１’の施工誤差により左右のヒンジ部材２’のヒンジピン５’同士が位置ずれする場合があり、このような場合には一方のヒンジ部材２’をハンマーなどで叩いて曲げて左右のヒンジ部材２’の位置合わせをして左右の門扉１４’を取付ける必要があり、施工が面倒であるとともに、ハンマーで叩くために傷がついてしまうという問題がある。
【０００４】
また、左右の門扉１４’を閉じた状態が図１４のように平面視で一直線となるような施工と、図１５のように左右の門扉１４’を閉じた状態が左右のヒンジ部材２’のヒンジピン５’を結ぶ線よりも平面視で屋内側に突曲するような平面形状となるように門扉１４’を非直線状に形成するような施工とを行う場合とでは、門柱１’へのヒンジ部材２’の取付け位置及び門柱１’からのヒンジ部材２’の突出方向がそれぞれ異なるものを複数種類用意する必要があり、施工現場の状況に応じて上記複数種類の中から現場に適合するものを選んで使用する必要があって、一種類のヒンジ部材２’付き門柱１’で多様な使用形態に対応できないという問題がある。
【０００５】
しかも、顧客の希望する門柱１’の外観が多種類あるため、この点でも門柱１’の外観の異なるヒンジ部材２’付き門柱１’を多種類用意する必要がある。
【０００６】
これらの理由により、従来にあっては多種類のヒンジ部材２’付きの門柱１’を在庫として用意する必要があり、生産、在庫管理の面でコストがかかるという問題があった。
【０００７】
【発明が解決しようとする課題】
本発明は上記の点に鑑みてなされたものであり、門柱に対する平面視におけるヒンジピンの突出方向を簡単に調整できて、多様な使用形態に対応でき、また、簡単に外観の異なるものとすることができると共に門柱からヒンジ部材の環状部が突出しない又は突出量を少なくできて外観を向上でき、また、断面円状の門柱にヒンジ部材の環状部を門柱に対して周方向に位置調整自在に被嵌するものであるにもかかわらず、取付け後にヒンジ部材を門柱に対して回動させるような大きな外力が作用してもヒンジ部材が回転するのを防ぐことができ、また、ヒンジピンの突出方向を簡単な方法で決めることができ、また、フランス落とし棒が嵌まり込む嵌め込み孔の位置が簡単に求められ、施工性が向上するヒンジ付き門柱を用いた門扉の施工方法を提供することを課題とするものである。
【０００８】
【課題を解決するための手段】
上記課題を解決するために本発明に係るヒンジ付き門柱を用いた門扉の施工方法は、断面円状の門柱１にヒンジ部材２を取付け、ヒンジ部材２を、門柱１に対して周方向に位置調整自在に被嵌されると共に固定手段３で門柱１に固定される環状部４と、該環状部４の周方向の一部から縦方向に突設したヒンジピン５とで構成して成るヒンジ付き門柱１を用いた門扉の施工方法であって、２枚の門扉１４のうち一方の門扉１４ａの横長さと等しい長さの第１のひも部２０と他方の門扉１４ｂの横長さと等しい長さの第２のひも部２１とを引き操作部２２を介して連続させ、第１のひも部２０及び第２のひも部２１の引き操作部２２と反対側の端部にそれぞれヒンジピン５への着脱取付け部２３を設けて門扉施工用具２４を形成し、上記ヒンジ付き門柱１を一対任意の間隔を隔てて立設し、各門柱１に対してヒンジ部材２の環状部４を回動自在とした状態で上記門扉施工用具２４の第１のひも部２０及び第２のひも部２１の着脱取付け部２３を一対の門柱１のヒンジ部材２の各ヒンジピン５に取付け、その後、引き操作部２２を水平方向に引っ張って第１のひも部２０と第２のひも部２１とが引き操作部２２を頂点としたへ字状となるようにすると共に、引き操作部２２と各門柱１の中心とを結ぶ線上に各ヒンジ部材２の各ヒンジピン５を位置させ、次に、各環状部４を固定手段３で門柱１に固定し、その後、一方の門柱１ａのヒンジピン５に一方の門扉１４ａを回動自在に取付けると共に他方の門柱１ｂのヒンジピン５に他方の門扉１４ｂを回動自在に取付けることを特徴とするものである。上記ヒンジ付き門柱１は、断面円状の門柱１にヒンジ部材２の環状部４を門柱１に対して被嵌すると共に周方向に位置調整することで、門柱１に対する平面視におけるヒンジピン５の突出方向を簡単に調整できるものであり、そしてこのヒンジ付き門柱１を用いた上記門扉の施工方法を採用することで、第１のひも部２０及び第２のひも部２１の着脱取付け部２３を一対の門柱１のヒンジ部材２の各ヒンジピン５に取付けて引き操作部２２を引っ張って第１のひも部２０と第２のひも部２１とが引き操作部２２を頂点としたへ字状となるようにすることで、両ヒンジ部材２を両門柱１に対してそれぞれ回動して自動的に引き操作部２２と各門柱１の中心とを結ぶ線上に各ヒンジ部材２の各ヒンジピン５を位置させることができて、ヒンジピン５の突出方向を簡単な方法で決めることができるものである。
【００１３】
また、引き操作部２２を水平方向に引っ張って第１のひも部２０と第２のひも部２１とが引き操作部２２を頂点としたへ字状となるようにした状態で平面視で引き操作部２２に一致する地面２５上の位置を求め、このようにして求めた地面２５上に特定された位置にいずれかの門扉１４に上下移動自在に取付けるフランス落とし棒２６が嵌め込み自在となる嵌め込み孔２７を形成することが好ましい。このような方法を採用することで、フランス落とし棒が嵌まり込む嵌め込み孔の位置が簡単に求めることができるものである。
【００１４】
また、門柱１に取付けた下のヒンジ部材２のヒンジピン５が上向きに突出し且つ上のヒンジ部材２のヒンジピン５が下向き突出し、門扉１４の端部の上下にひじ壺２８を上下移動可能に取付け、上下に対向したヒンジピン５に上下のひじ壺２８を嵌め込むことが好ましい。このような方法を採用することで、上下のヒンジピン５に上下のひじ壺２８を嵌め込んだ状態で門扉１４に上方への浮き上がり外力が作用しても門扉１４が上方に浮き上がらないようにできるものであり、しかも、このように門扉１４が上方に浮き上がらないようにするに当たって、ひじ壺２８を上下移動するだけで上向きに突出したヒンジピン５と下向きに突出したヒンジピン５とに上下のひじ壺２８を簡単に嵌め込むことができるものである。
【００１５】
【発明の実施の形態】
以下、本発明を添付図面に示す実施形態に基づいて説明する。
【００１６】
門柱１は金属製で断面円状をしている。この門柱１には図１乃至図３に示すように上部と下部とにそれぞれヒンジ部材２が取付けられる。
【００１７】
ヒンジ部材２は、門柱１に対して周方向に位置調整自在に被嵌されると共に固定手段３で門柱１に固定される環状部４と、該環状部４の周方向の一部から縦方向に突設したヒンジピン５とからなるものである。
【００１８】
添付図面に示す実施形態では、環状部４とヒンジピン５とからなるヒンジ部材２は、図４に示すように２つの半円状部６（６ａ、６ｂ）の一端部同士を枢支軸部１１により回動自在に枢支すると共に２つの半円状部６ａ、６ｂの他端部同士をねじ具７で連結して環状部４を構成し、一方の半円状部６ａの一部に外側方に突出した膨出部６ｃに縦方向にヒンジピン５を突設したものである。
【００１９】
２つの半円状部６のうち一方の半円状部６ａには雌ねじ孔１２が設けてあり、他方の半円状部６には挿入孔１３が設けてあり、２つの半円状部６を枢支軸部１１を中心にして少し開いた状態で断面円状の門柱１に被嵌し、その後、２つの半円状部６を枢支軸部１１を中心にして閉じることで、上記挿入孔１３と雌ねじ孔１２とが連通し、この状態で挿入孔１３から固定手段であるねじ具７を挿入して雌ねじ部１２に螺合することで２つの半円状部６ａ、６ｂの他端部同士を連結すると共にねじ具７の締め付けにより門柱１に半円状部６ａ、６ｂを強く圧着させ、これによりヒンジ部材２の半円状部６を門柱１に固定するものである。この場合、雌ねじ孔１２を貫通孔としてねじ具７の先端を門柱１に圧接させることで更に強固に環状部４を門柱１に取付けることができる。
【００２０】
断面円状をした門柱１の外周面には周方向に連続して凹凸となった外周凹凸部９が設けてあり、環状部４の内周面に周方向に連続して凹凸となった又は周方向の一部において連続した凹凸となった内周凹凸部１０を設けてある。そして、上記のようにねじ具７を締付けると円柱１の外周凹凸部９に環状部４の内周凹凸部１０が係合してヒンジ部材２が円柱１に対して回転するのを防止するようになっている。
【００２１】
門柱１のヒンジ部材２を取付けた部分以外の部分の外周部には筒状をしたカバー部材８を被嵌するようになっている。カバー部材８としては、門柱１の上下のヒンジ部材２間の部分に被嵌する中央カバー部材８ａと、門柱１の上のヒンジ部材２の上方の部分及び下のヒンジ部材２の下方の部分にそれぞれ被嵌する端部カバー部材８ｂとがある。ここで、上下の端部カバー部材８ｂは上方又は下方に抜けるのを防止するため、任意の固定手段により門柱１に固定するのであるが、例えば、無理嵌め、ねじ等が採用できる。
【００２２】
カバー部材８としては、色や材料の異なるもの、あるいは外面形状の異なるものを複数種類用意し、顧客の好みに応じて選択して門柱１に取付けることで、共通の門柱１を利用して多様な外観とすることができる。外面形状の異なるものの例としては図１乃至図４に示すような外周面が円となったものだけでなく、図７に示すような外周面が四角形のような多角形状のものとすることができる。ここで、カバー部材８として外周面が円となったものを使用する場合には、ヒンジ部材２の環状部４として図２に示すように外周面が略円状をしたものを使用することで外観を揃えることができる。また、カバー部材８として外周面が多角形状となったものを使用する場合には、ヒンジ部材２の環状部４として図７に示すように外周面が多角形状をしたものを使用することで外観を揃えることができる。そして、カバー部材８の外面とヒンジ部材２の外面（ヒンジピン５を設けた膨出部６ｃ部分を除く）とが又はほぼ面一となるような大きさにカバー部材８、ヒンジ部材２の大きさを設定することで、より外観を向上させることができる。
【００２３】
上記のような構成のヒンジ部材２付きの門柱１を現場で施工した後に、ヒンジピン５に門扉１４の端部に設けたひじ壺１７を回動自在に嵌め込むことで、門扉１４をヒンジピン５に回動自在に取付けるものである。
【００２４】
ここで、門柱１に対する平面視におけるヒンジピン５の突出方向を調整するに当たっては、ねじ具７を緩め又はねじ具７を取付けない状態で２つの半円状部６よりなる環状部４を開いて門柱１に対して周方向に環状部４を回動して行うものであり、調整が終わるとねじ具７を締め付けることで、ヒンジ部材２を門柱１に固定するものである。このようにすることで、門柱１に対する平面視におけるヒンジピン５の突出方向がずれていても従来のようにハンマーで叩いて位置調整をする必要がなく、また、図５のように左右の門扉を閉じた状態が平面視で一直線となるような施工の場合と、図６のように左右の門扉１４を閉じた状態が左右のヒンジ部材２のヒンジピン５を結ぶ線よりも平面視で屋内側に突曲するような平面形状となるように門扉１４を非直線状に形成するような施工の場合のいずれであっても、上記のようにして平面視における門柱１に対するヒンジピン５の突出方向の調整を行うことで、簡単に対応できるものである。
【００２５】
また、上乃至下のヒンジ部材２の門柱１への上下方向の取付け位置を上下にスライドして調整することが可能であり、これにより上下のヒンジ部材２間の距離を調整でき、門扉１４の上下のひじ壺１７間の間隔の異なるものに対応することができるものである。
【００２６】
なお、添付図面に示すように門柱１の下のヒンジ部材２の取付け位置の直下部分にずれ防止用ボルト１５を螺着し、ずれ防止用ボルト１５により下のヒンジ部材２の環状部４を支持するようにしてもよい。このようにずれ防止用ボルト１５を取付けることで調整時にねじ具７を緩めた際に下のヒンジ部材２が下方に落下するのを防止することができ、このため、門扉１４をヒンジ部材２に取付けた状態で大きな荷重が下のヒンジ部材２にかかっているような場合であっても、上記の調整が可能となる。
【００２７】
なお、ずれ防止用ボルト１５を設ける場合には、下の端部カバー部材８ｂにはずれ防止用ボルト１５を避けるための切り欠き部１６を設けるものである。
【００２８】
ところで、図６のように左右の門扉１４が閉じた状態で平面視で略へ字状となるように施工する場合は図８に示すような門扉施工用具２４を用いて以下のようにして行うものである。
【００２９】
門扉施工用具２４は図８に示すようなもので、２枚の門扉１４のうち一方の門扉１４ａの横長さと等しい長さの第１のひも部２０と他方の門扉１４ｂの横長さと等しい長さの第２のひも部２１とを引き操作部２２を介して連続させ、第１のひも部２０及び第２のひも部２１の引き操作部２２と反対側の端部にそれぞれヒンジピン５への着脱取付け部２３を設けて形成してある。ここで着脱取付け部２３は合成樹脂や金属等により形成したリングより構成してあってヒンジピン５に着脱自在に被嵌できるようになっている。また、添付図面に示す実施形態においては引き操作部２２は合成樹脂や金属等により形成したリングより構成してあって指でつかむことができ、また、リング内にフェルトペン、鉛筆等のマーカ用具を挿入できるようになっている。
【００３０】
しかして、まず、前述のような構成のヒンジ付き門柱１を一対任意の間隔を隔てて立設する。この場合、ヒンジ部材２の環状部４は門柱１に対して回動自在な状態としておく。次に、このように各門柱１に対してヒンジ部材２の環状部４を回動自在とした状態で上記門扉施工用具２４の第１のひも部２０及び第２のひも部２１の着脱取付け部２３を一対の門柱１のヒンジ部材２の各ヒンジピン５に被嵌して取付け、その後、引き操作部２２を引っ張って図９、図１０のように第１のひも部２０と第２のひも部２１とが引き操作部２２を頂点としたへ字状となるようにする。このように引き操作部２２を引っ張って図９、図１０のように第１のひも部２０と第２のひも部２１とが引き操作部２２を頂点としたへ字状となるようにすると、ヒンジピン５が引っ張られてヒンジ部材２が回動することで、引き操作部２２と各門柱１の中心とを結ぶ線上に各ヒンジ部材２の各ヒンジピン５が位置し、これにより簡単にヒンジピン５の突出方向を設定できるものである。このようにヒンジピン５の突出方向を設定した後、固定手段３により前述のようにしてヒンジ部材２の環状部４が門柱１に対して回動しないように固定するものである。
【００３１】
上記のように、引き操作部２２を引っ張って図９、図１０のように第１のひも部２０と第２のひも部２１とが引き操作部２２を頂点としたへ字状となるようにした状態で、引き操作部２２に一致する地面２５上の位置を求める。例えば、リングよりなる引き操作部２２内にフェルトペンや鉛筆等のマーカ用具を挿入して地面２５に印を付ける。そして、地面２５上に求めた上記位置（印の位置）に左右の門扉１４のうちいずれかの門扉１４に上下移動自在に取付けるフランス落とし棒２６が嵌め込み自在となる嵌め込み孔２７を図１２に示すように形成するものである。
【００３２】
一方、上記のようにしてヒンジピン５の突出方向を求めてヒンジ部材２の環状部４が門柱１に対して回動しないように固定した後、一方の門柱１ａのヒンジピン５に一方の門扉１４ａを回動自在に取付けると共に他方の門柱１ｂのヒンジピン５に他方の門扉１４ｂを回動自在に取付けて図６に示すようにする。この場合、図１１に示すように門扉１４の端部に上下移動自在にひじ壺２８が取付けてある。添付図面に示す実施形態では門扉１４の端部の縦枠２９の上下にひじ壺２８が取付けてあるが、このひじ壺２８は嵌め込み孔２８ａを有するひじ壺本体２８ｂの溝部２８ｃと、締め付け部２８ｄの溝部２８ｅを縦枠２９に前後からはめ込んでねじ具２８ｆにより締付けて固着してあり、ねじ具２８ｆを緩めることでひじ壺２８を縦枠２９に対して上下方向に移動自在としている。そして、前述のようにして門柱１の上下にそれぞれヒンジ部材２を固定して下のヒンジ部材２は上方に向けてヒンジピン５が突出し、上のヒンジ部材２は下方に向けてヒンジピン５が突出して上下にヒンジピン５が対向するようにした後に、上のひじ壺２８を下にずらすことでひじ壺２８間の間隔を正規の状態よりも狭くし、この状態で下のひじ壺２８を下のヒンジ部材２のヒンジピン５に嵌め込み、その後、上のひじ壺２８を上方に移動して上のひじ壺２８を下向きの上のヒンジピン５に嵌め込み、この状態でねじ具２８ｆを締め付けてひじ壺２８が上下にずれないようにするものである。このようにすることで、下のヒンジピン５を上向きにし且つ上のヒンジピン５を下向きにしたものにおいて簡単に門扉１４の端部の上下のひじ壺２８を上下のヒンジピン５に嵌め込むことができ、また、上のヒンジピン５を下向きにしてあるので、門扉１４に上方への浮き上がり力が作用してもひじ壺２８がヒンジピン５から外れることがないものである。
【００３３】
なお門扉１４としては平面視直線状のものにのみ限定されず、非直線状、例えば図１３に示すように平面視弧状をしたのもでもよい。この場合、門扉施工用具２４の第１のひも部２０又は第２のひも部２１の長さは平面視弧状をした門扉１４の両端間を結んだ直線の長さを門扉１の横長さとするものである。
【００３４】
【発明の効果】
上記のように本発明の請求項１記載の発明にあっては、断面円状の門柱にヒンジ部材を取付け、ヒンジ部材を、門柱に対して周方向に位置調整自在に被嵌されると共に固定手段で門柱に固定される環状部と、該環状部の周方向の一部から縦方向に突設したヒンジピンとで構成して成るヒンジ付き門柱を用いた門扉の施工方法であって、２枚の門扉のうち一方の門扉の横長さと等しい長さの第１のひも部と他方の門扉の横長さと等しい長さの第２のひも部とを引き操作部を介して連続させ、第１のひも部及び第２のひも部の引き操作部と反対側の端部にそれぞれヒンジピンへの着脱取付け部を設けて門扉施工用具を形成し、上記ヒンジ付き門柱を一対任意の間隔を隔てて立設し、各門柱に対してヒンジ部材の環状部を回動自在とした状態で上記門扉施工用具の第１のひも部及び第２のひも部の着脱取付け部を一対の門柱のヒンジ部材の各ヒンジピンに取付け、その後、引き操作部を水平方向に引っ張って第１のひも部と第２のひも部とが引き操作部を頂点としたへ字状となるようにすると共に、引き操作部と各門柱の中心とを結ぶ線上に各ヒンジ部材の各ヒンジピンを位置させ、次に、各環状部を固定手段で門柱に固定し、その後、一方の門柱のヒンジピンに一方の門扉を回動自在に取付けると共に他方の門柱のヒンジピンに他方の門扉を回動自在に取付けることを特徴とするもので、上記ヒンジ付き門柱１は、断面円状の門柱１にヒンジ部材２の環状部４を門柱１に対して被嵌すると共に周方向に位置調整することで、門柱１に対する平面視におけるヒンジピン５の突出方向を簡単に調整できるものであり、そしてこのヒンジ付き門柱１を用いた上記門扉の施工方法を採用することで、２枚の門扉のうち一方の門扉の横長さと等しい第１のひも部と他方の門扉の横長さと等しい第２のひも部とを引き操作部を介して連続させ、第１のひも部及び第２のひも部の引き操作部と反対側の端部にそれぞれヒンジピンへの着脱取付け部を設けて門扉施工用具を形成し、上記請求項１乃至請求項４のいずれかのヒンジ付き門柱を一対任意の間隔を隔てて立設し、各門柱に対してヒンジ部材の環状部を回動自在とした状態で上記門扉施工用具の第１のひも部及び第２のひも部の着脱取付け部を一対の門柱のヒンジ部材の各ヒンジピンに取付け、その後、引き操作部を引っ張って第１のひも部と第２のひも部とが引き操作部を頂点としたへ字状となるようにすると共に、引き操作部と各門柱の中心とを結ぶ線上に各ヒンジ部材の各ヒンジピンを位置させ、次に、各環状部を固定手段で門柱に固定し、その後、一方の門柱のヒンジピンに一方の門扉を回動自在に取付けると共に他方の門柱のヒンジピンに他方の門扉を回動自在に取付けるので、第１のひも部及び第２のひも部の着脱取付け部を一対の門柱のヒンジ部材の各ヒンジピンに取付けて引き操作部を引っ張って第１のひも部と第２のひも部とが引き操作部を頂点としたへ字状となるような操作をすることで簡単にヒンジピンの突出方向を決めることができ、また、一対の門柱を現場で立設する場合における施工誤差があっても上記の方法により簡単にヒンジピンの突出方向を求めることができるものである。
【００３９】
また、請求項２記載の発明にあっては、上記請求項１記載の発明の効果に加えて、引き操作部を引っ張って第１のひも部と第２のひも部とが引き操作部を頂点としたへ字状となるようにした状態で平面視で引き操作部に一致する地面上の位置を求め、このようにして求めた地面上に特定された位置にいずれかの門扉に上下移動自在に取付けるフランス落とし棒が嵌め込み自在となる嵌め込み孔を形成するので、フランス落とし棒が嵌まり込む嵌め込み孔の位置が簡単に求めることができるものである。
【００４０】
また、請求項３記載の発明にあっては、上記請求項１記載の発明の効果に加えて、門柱に取付けた下のヒンジ部材のヒンジピンが上向きに突出し且つ上のヒンジ部材のヒンジピンが下向き突出し、門扉の端部の上下にひじ壺を上下移動可能に取付け、上下に対向したヒンジピンに上下のひじ壺を嵌め込むので、上下のヒンジピンに上下のひじ壺を嵌め込んだ状態で門扉に上方への浮き上がり外力が作用しても門扉が上方に浮き上がらないようにできるものであり、しかも、このように門扉が上方に浮き上がらないようにするに当たって、ひじ壺を上下移動するだけで上向きに突出したヒンジピンと下向きに突出したヒンジピンとに上下のひじ壺を簡単に嵌め込むことができるものである。
【図面の簡単な説明】
【図１】本発明の一実施形態のカバー部材を被嵌していない状態の斜視図である。
【図２】同上のカバー部材を被嵌した状態の斜視図である。
【図３】同上の分解斜視図である。
【図４】同上の門柱へのヒンジ部材の取付け部分の断面図である。
【図５】同上の施工の一例を示す説明図である。
【図６】同上の施工の他例を示す説明図である。
【図７】本発明において他の実施形態のカバー部材を被嵌した状態の斜視図である。
【図８】本発明のヒンジ付き門柱を用いた門扉の施工方法に使用する門扉施工用具の斜視図である。
【図９】同上の門扉施工用具を用いたヒンジピンの突出方向を求めている施工状態を示す斜視図である。
【図１０】同上の門扉施工用具を用いたヒンジピンの突出方向を求めている施工状態を示す平面図である。
【図１１】同上の門扉の端部へのひじ壺の取付け部分の一部分解した斜視図である。
【図１２】同上のフランス落とし棒が嵌め込み孔に嵌め込まれている状態の断面図である。
【図１３】本発明の門扉の他の例を示す施工状態の平面図である。
【図１４】従来の施工の一例を示す説明図である。
【図１５】従来の施工の他例を示す説明図である。
【符号の説明】
１  門柱
２  ヒンジ部材
３  固定手段
４  環状部
５  ヒンジピン
６  半円状部
７  ねじ具
８  カバー部材
９  外周凹凸部
１０  内周凹凸部
【図１】
0003599033.tif 000002
【図２】
0003599033.tif 000003
【図３】
0003599033.tif 000004
【図４】
0003599033.tif 000005
【図５】
0003599033.tif 000006
【図６】
0003599033.tif 000007
【図７】
0003599033.tif 000008
【図８】
0003599033.tif 000009
【図９】
0003599033.tif 000010
【図１０】
0003599033.tif 000011
【図１１】
0003599033.tif 000012
【図１２】
0003599033.tif 000013
【図１３】
0003599033.tif 000014
【図１４】
0003599033.tif 000015
【図１５】
0003599033.tif 000016